(57)【要約】【課題】本発明は、密封性が良好な係合部材の締着部用ガスケットを提供することを目的とする。【解決手段】穴部を備え、前記穴部の開口端部に外方に向って拡径する円錐面を有する穴部材と、頭部と前記頭部の一端面側から伸びる軸部とを備え、前記軸部の外周面は、前記頭部側に設けた円筒状の外周面と、前記外周面の一端側から前記穴部と係合する係合部とを有する係合部材と、前記穴部に前記係合部材を締着した際に、前記円錐面、前記外周面及び前記頭部の一端面により囲まれる環状空間内に配置されるゴム状弾性材製ガスケットとよりなる係合部材の締着部用ガスケットにおいて、前記ガスケットが、前記外周面と接する円筒状の内周面と前記一端面と接する平坦面を備えた本体部分と、前記本体部分から前記円錐面に向かって軸方向に突出している環状のリップ状突起とより構成されている。【選択図】図２
2014202229.tif 000002
【特許請求の範囲】
【請求項１】
穴部（１１）を備え、前記穴部（１１）の開口端部に外方に向って拡径する円錐面（１２）を有する穴部材（１）と、頭部（２１）と前記頭部（２１）の一端面側から伸びる軸部（２２）とを備え、前記軸部（２２）の外周面は、前記頭部（２１）側に設けた円筒状の外周面（２２１）と、前記外周面（２２１）の一端側から前記穴部（１１）と係合する係合部（２２２）とを有する係合部材（２）と、前記穴部（１１）に前記係合部材（２）を締着した際に、前記円錐面（１２）、前記外周面（２２１）及び前記頭部（２１）の一端面（２１１）により囲まれる環状空間（３）内に配置されるゴム状弾性材製ガスケット（４）とよりなる係合部材の締着部用ガスケットにおいて、
前記ガスケット（４）が、前記外周面（２２１）と接する円筒状の内周面（４１）と前記一端面（２１１）と接する平坦面（４２）を備えた本体部分（４３）と、前記本体部分（４３）から前記円錐面（１２）に向かって軸方向に突出している環状のリップ状突起（４４）とより構成されている事を特徴とする係合部材の締着部用ガスケット。
【請求項２】
前記穴部（１１）と前記係合部（２２２）が、相互にネジ係合するネジ溝が形成されたネジ穴（１１）とネジ部（２２２）であることを特徴とする請求項１記載の係合部材の締着部用ガスケット。
【請求項３】
前記リップ状突起（４４）の頂部径（Ｄ１）は、前記円錐面（１２）の開口部径（Ｄ２）よりも小さいことを特徴とする請求項１または２記載の係合部材の締着部用ガスケット。
【請求項４】
前記リップ状突起（４４）の付け根部内周側に環状溝（４５）を形成したことを特徴とする請求項１〜３のいずれか一項記載の係合部材の締着部用ガスケット。
【発明の詳細な説明】
【技術分野】
【０００１】
本発明は、係合部材の締着部用ガスケットに関するものである。
また、より具体的にはネジ部に設けたテーパ溝内に使用されるネジ部材の締着部用ガスケットに関する。
【０００２】
更に詳しくは、ＪＩＳ  Ｂ  ２３５１のネジ部に設けたテーパ溝内に使用して有益なネジ部材の締着部用ガスケットに関する。
【背景技術】
【０００３】
従来、ネジ部に設けたテーパ溝内に使用されるネジ部材の締着部用ガスケットとしては、図４に示す構造のものが提案された。
【０００４】
すなわち、従来のネジ部材の締着部用ガスケットは、ネジ穴１１を備え、このネジ穴１１の開口端部に外方に向って拡径する円錐面１２を有するネジ穴部材１と、頭部２１とこの頭部２１の一端面側から伸びる軸部２２とを備え、この軸部２２の外周面は、頭部２１側からネジを設けていない外周面２２１と、この外周面２２１の一端側（図上下端側）からネジを設けたネジ部２２２とを有するネジ部材２と、ネジ穴１１にネジ部材２を締着した際に、円錐面１２、外周面２２１及び頭部２１の一端面により囲まれる環状空間３内に配置されるゴム状弾性材製のＯリング状ガスケット４０とより構成されている。
【０００５】
しかし、この種Ｏリング状ガスケット４０は、ネジ穴１１にネジ部材２を締着する際に、図５に示す様に、ネジ穴１１の開口端部の角部１３に当接し損傷を受ける問題を惹起した。
【０００６】
また、この種Ｏリング状ガスケット４０は、ネジ穴１１にネジ部材２を締着する際に、図６に示す様に、ネジ部材２の回転力や、Ｏリング状ガスケット４０と頭部２１との摩擦力等の影響で環状空間３内に収まらず、一部が環状空間３の外にはみ出す問題を招来した。
【先行技術文献】
【特許文献】
【０００７】
【特許文献１】特開２００６−３２２４６９号公報
【発明の概要】
【発明が解決しようとする課題】
【０００８】
本発明は以上の点に鑑みて、穴部に係合部材を締着する際に、ゴム状弾性材製ガスケットが損傷を受ける事や、ガスケットの一部が配置されるべき環状空間から外にはみ出す事を効果的に回避出来る、密封性が良好な係合部材の締着部用ガスケットを提供することを目的とする。
【課題を解決するための手段】
【０００９】
上記目的を達成するために本発明にあっては、穴部を備え、前記穴部の開口端部に外方に向って拡径する円錐面を有する穴部材と、頭部と前記頭部の一端面側から伸びる軸部とを備え、前記軸部の外周面は、前記頭部側に設けた円筒状の外周面と、前記外周面の一端側から前記穴部と係合する係合部とを有する係合部材と、前記穴部に前記係合部材を締着した際に、前記円錐面、前記外周面及び前記頭部の一端面により囲まれる環状空間内に配置されるゴム状弾性材製ガスケットとよりなる係合部材の締着部用ガスケットにおいて、前記ガスケットが、前記外周面と接する円筒状の内周面と前記一端面と接する平坦面を備えた本体部分と、前記本体部分から前記円錐面に向かって軸方向に突出している環状のリップ状突起とより構成されている。
【発明の効果】
【００１０】
本発明は、以下に記載されるような効果を奏する。
請求項１記載の発明の係合部材の締着部用ガスケットによれば、本体部分から円錐面に向かって軸方向に突出している環状のリップ状突起を備える構成としている為、穴部に係合部材を締着する際に、ゴム状弾性材製ガスケットが損傷を受けたり、ガスケットの一部が配置されるべき環状空間から外にはみ出す事を効果的に回避出来る、密封性が良好な係合部材の締着部用ガスケットを提供する事が出来る。
請求項２記載の発明の係合部材の締着部用ガスケットによれば、穴部と係合部が、相互にネジ係合するネジ溝が形成されたネジ穴とネジ部である場合に特に有効である。
【００１１】
請求項３記載の発明の係合部材の締着部用ガスケットによれば、リップ状突起の頂部径は、円錐面の開口部径よりも小さい設計としている為、リップ状突起が円錐面により確実にガイドされ、ガスケットの損傷をより効果的に阻止出来る。
更に、請求項４記載の発明の係合部材の締着部用ガスケットによれば、リップ状突起の付け根部内周側に環状溝を形成する構成としている為、リップ状突起が径方向内側に変形し易くなり、ガスケットの損傷をより効果的に阻止出来る。
【図面の簡単な説明】
【００１２】
【図１】本発明に係る係合部材の締着部用ガスケットの縦断面図。
【図２】図１のガスケットを係合部材の締着部に装着し、締着途中の縦断面図。
【図３】図２の状態から係合部材を完全に締着した状態の縦断面図。
【図４】従来技術に係るＯリング状ガスケットを装着し、係合部材を完全に締着した状態の縦断面図。
【図５】従来技術に係るＯリング状ガスケットの締着途中の不具合の一例を示す縦断面図。
【図６】従来技術に係るＯリング状ガスケットの締着途中の不具合の他の例を示す縦断面図。
【発明を実施するための形態】
【００１３】
以下、本発明を実施するための形態について説明する。
図１乃至図３に基づき本発明に係る実施の形態について説明する。
【００１４】
本発明の係合部材の締着部用ガスケットは、ネジ穴１１を備え、このネジ穴１１の開口端部に外方に向って拡径する円錐面１２を有するネジ穴部材１と、頭部２１とこの頭部２１の一端面側から伸びる軸部２２とを備え、軸部２２の外周面は、頭部２１側からネジを設けていない外周面２２１と、この外周面２２１の一端側からネジを設けたネジ部２２２とを有するネジ部材２と、ネジ穴１１にネジ部材２を締着した際に、円錐面１２、外周面２２１及び頭部２１の一端面２１１により囲まれる環状空間３内に配置されるゴム状弾性材製ガスケット４により構成されている。
【００１５】
そして、このガスケット４は、頭部２１側からネジを設けていない外周面２２１と接する円筒状の内周面４１と、頭部２１の一端面２１１と接する平坦面４２を備えた本体部分４３と、この本体部分４３から円錐面１２に向かって軸方向に突出している環状のリップ状突起４４とより構成されている。
【００１６】
この様な、構成を備えるガスケット４は、図２に示す様に、ネジ部材を締結する際に、まずリップ状突起４４の先端部が円錐面１２に当接し、更に締結を進めると、リップ状突起４４は、円錐面１２に沿いながら径方向内方に向かって圧縮される。
この時に発生するリップ状突起４４の圧縮力が、リップ状突起４４を円錐面１２に強く押し当てる為、良好な密封性能が発揮できる。
【００１７】
更に、リップ状突起４４は、円錐面１２に沿いながら径方向内方に向かって変形する為、ガスケット４が頭部２１とネジ穴部材１との間に挟み込まれる事は無い。
この為、ネジ穴１１にネジ部材２を締着する際に、ゴム状弾性材製ガスケット４が損傷を受ける事や、ガスケット４の一部が配置されるべき環状空間３から外にはみ出す事を効果的に回避出来る。
【００１８】
また、リップ状突起４４の頂部径Ｄ１は、円錐面１２の開口部径Ｄ２よりも小さい設計とする事が好ましい。
この事により、リップ状突起４４が円錐面１２により確実にガイドされる為、ガスケット４の損傷をより効果的に阻止出来る。
【００１９】
更に、リップ状突起４４の付け根部内周側に環状溝４５を形成したことにより、リップ状突起４４は、図２の状態から図３に示す状態に変形しやすくなる。
この為、ガスケット４の損傷をより効果的に阻止出来る。
【００２０】
また、この事は、外周面２２１と接する円筒状の内周面４１の軸方向長さを十分取ったとしても、リップ状突起４４の変形性に悪影響を与えない為、ガスケット４を環状空間３内に安定して保持出来る。
【００２１】
本実施態様では、リップ状突起４４を１本としたが複数本設ける態様としても良い。
また、リップ状突起４４を本体部分４３の外周端側に設ける構成としたが、スペースに余裕がある場合は、本体部分４３の内径側の位置に設けても良い。
更に、円錐面１２は、平坦な傾斜面としたが、曲面状の傾斜面としても良い。
【００２２】
本発明で使用されるネジ部材の締着部用ガスケット４の材質は、ＦＫＭ、シリコーンゴム、ＥＰＤＭ、ニトリルゴム、アクリルゴム、ＨＮＢＲ等の各種のゴム状弾性体を適宜選択して使用出来る。
【００２３】
また、本発明は上述の発明を実施するための最良の形態に限らず、本発明の要旨を逸脱することなくその他種々の構成を採り得ることはもちろんである。
【産業上の利用可能性】
【００２４】
ＪＩＳ  Ｂ  ２３５１のネジ部に設けたテーパ溝内に使用して有益である。
【符号の説明】
【００２５】
１    ネジ穴部材
２    ネジ部材
３    環状空間
４    ガスケット
１１  ネジ穴
１２  円錐面
２１  頭部
２２  軸部
４１  内周面
４２  平坦面
４３  本体部分
４４  リップ状突起
４５  環状溝
２１１一端面
２２１外周面
２２２ネジ部
【図１】
2014202229.tif 000003
【図２】
2014202229.tif 000004
【図３】
2014202229.tif 000005
【図４】
2014202229.tif 000006
【図５】
2014202229.tif 000007
【図６】
2014202229.tif 000008